(57)【要約】      （修正有）【課題】  洗浄した袋やラップ等のリサイクルに供せられるものにおいて、再利用の為に洗浄した後、空気の通りを良くして乾燥を促進するため、袋を開いている状態やラップ等を広げている状態を保持するための乾燥用具を提供する。【解決手段】  ラチェット爪により任意の角度で略扇状のラチェット８を係止することにより固定できる、少なくとも２本の略Ｌ字状の下部可動部１２から成り、略凹形状の支持腕部４に設けられた支持腕挟着部３および基材ベース５の中間ヒンジ１１で勝手違いに任意の位置で折り曲げて固定した略Ｌ字状の下部可動部１２に設置された下部袋押当部１３で袋内部を押し広げたり、ラップを広げたりすることにより、袋の開口部を下にして開いた状態やラップ等を広げている状態を保持しながら略凸形状の頭頂部１に付設されている磁石２により袋やラップ等を内側から金属面に挟着して固定する。【選択図】図１
2006189248.tif 000002
【特許請求の範囲】
【請求項１】
基材ベースの上両側に設けた略凹形状の支持腕部、略中央に位置し、磁石を付設した略凸形状の頭頂部、および中間ヒンジ両端部に取付られた略扇状のラチェットをラチェットヒンジで折り曲げ、ラチェット爪により任意の角度で略扇状のラチェットを係止することにより固定できる、少なくとも２本の略Ｌ字状の下部可動部から成り、略凹形状の支持腕部に設けられた支持腕挟着部および基材ベースの中間ヒンジで勝手違いに任意の位置で折り曲げて固定した略Ｌ字状の下部可動部に設置された下部袋押当部で袋内部を押し広げたり、ラップを広げたりすることにより、袋の開口部を下にして開いた状態やラップ等を広げている状態を保持しながら略凸形状の頭頂部に付設されている磁石により袋やラップ等を内側から金属面に挟着して固定することを特徴とした乾燥用具。
【請求項２】
請求項１において各下部可動部の折曲げ方向が、裏表両面使用が可能であることを特徴とした乾燥用具。
【請求項３】
請求項１において各ラチェットヒンジの折曲げ方向は、裏表両面使用が可能であることを特徴とした乾燥用具。
【請求項４】
請求項１において略凹形状の支持腕部に磁石を付設したことを特徴とした乾燥用具。
【請求項５】
請求項１および請求項４において磁石を基材ベース、略凸形状頭頂部もしくは略凹形状の支持腕部の先端に設けられた支持腕挟着部に内蔵したことを特徴とした乾燥用具。
【請求項６】
請求項１および請求項４において係止固定する構造が、係止リブとリブ受部で構成される勘合構造によることを特徴とした乾燥用具。
【発明の詳細な説明】
【技術分野】  洗浄した袋やラップ等において、空気の通りを良くして乾燥を促進するため、袋を開いている状態やラップ等を広げている状態を保持することができる乾燥用具に関するものである。
【背景技術】
【０００１】  近年、消費生活の需要の拡大から、消費者等から出されるゴミ問題が大きくクローズアップされて、ゴミ削減の要望からリサイクルの意識が高まっている。そのような要望のなかで、使用した袋やラップ等を洗浄して再利用する消費者は多い。【０００２】  特に食品保存袋は高価なこともあり再利用することが多く、洗浄した後は、任意の場所に洗濯バサミ等で止めて乾かすことがあるが、袋が開いている状態を保持することは困難であった。【０００３】  乾燥用具としては、袋を棒状の器具に差して乾燥させる水切りハンガーが公知である（特許文献１参照）。【０００４】  しかしながら、特許文献１の保持具は袋やラップ等を広げて乾燥させることができないため袋やラップ等が残った水分で密着して乾燥させるのに時間が掛かったり、一部水分が残ったりするという問題があった。【０００５】  また、設置場所も限定され、取付ける面が汚れやすい場所のため吸盤自体を工夫しても、脱落することがしばしば見受けられる。【０００６】  また、袋が開いている状態を保持することのできる乾燥用具も公知である（特許文献２参照）。【０００７】  しかしながら、特許文献２の保持具は、構造が複雑な上に、巨大で、設置できる場所が著しく限定される。
【特許文献１】特開平１０−８０３６７号公報
【特許文献２】特開２０００−２７４９４０号公報
【０００８】  以上のように従来、洗浄した袋やラップ等の乾燥を促進するために袋を開いている状態やラップ等を広げている状態を保持するための簡便な保持具はなく、構造が簡単で、かつ廉価に製造できる保持具の開発が待たれるところであった。
【発明の開示】
【発明が解決しようとする課題】
【０００９】  従来、洗浄した袋やラップ等の乾燥を促進するために袋を開いている状態やラップ等を広げている状態を保つための簡便な保持具はなかった。【００１０】  そこで、本発明が解決しようとする課題は、洗浄した袋やラップ等のリサイクルに供せられる物品において、再利用の為に洗浄した後、空気の通りを良くして乾燥を促進するため、袋を開いている状態やラップ等を広げている状態を保持するための簡便で廉価な乾燥用具を提供することである。【００１１】  本発明において前記ならびにその他の目的と新規な特徴は次の説明を添付図面と照らし合わせて読むと、より完全に明らかとなるであろう。ただし、図面はもっぱら解説のためのものであって、本発明の技術的範囲を限定するものではない。
【課題を解決するための手段】
【００１２】  これら課題を解決するため、本発明は５基材ベースの上両側に設けた略凹形状の４支持腕部、略中央に位置し、２磁石を付設した略凸形状の１頭頂部、および１１中間ヒンジ両端部に取付られた略扇状の８ラチェットを１０ラチェットヒンジで折り曲げ、６ラチェット爪により任意の角度で略扇状の８ラチェットを係止することにより固定できる、少なくとも２本の略Ｌ字状の１２下部可動部から成り、略凹形状の４支持腕部に設けられた３支持腕挟着部および５基材ベースの１１中間ヒンジで勝手違いに任意の位置で折り曲げて固定した略Ｌ字状の１２下部可動部に設置された１３下部袋押当部で袋内部を押し広げたり、ラップを広げたりすることにより、袋の開口部を下にして開いた状態やラップ等を広げている状態を保持する。【００１３】  袋を開いている状態、あるいはラップ等を広げている状態を保持しながら略凸形状の１頭頂部に付設されている２磁石により袋やラップ等を内側から金属面に挟着して固定する。【００１４】  挟着して固定する金属面は水平面でも垂直面でもあるいは任意の角度を持つ面でも良いが、天井やキッチン等の上方に設置されている棚の底面等のように袋やラップ等を本発明で水平面に下方から挟着できる場所のほうが、重力により袋やラップ等が垂れ下がるため挟着する設置面との間の空間がより広がり、空気が効率よく循環されるのでより効果的である。
【発明の効果】
【００１５】  以上の説明から明らかなように、本発明にあっては次に列挙する効果が得られる。
（１）袋を開いている状態やラップ等を広げている状態を保持して乾燥させるため、袋やラップ等の表面に空気が循環され効率よく乾燥させることができる。【００１６】  （２）使用した袋やラップ等のリサイクルに供せられる物品を洗浄して再利用することにより、資源を有効に活用することを促進する。【００１７】  （３）磁石により、金属面に挟着して固定するため、乾かすことのできる場所の選択範囲が広い。【００１８】  （４）挟着して固定する金属面は水平面でも垂直面でもあるいは任意の角度を持つ面でも良い。【００１９】  （５）磁石で金属面に固定できるので、使わないときは収納でき、必要なときはすぐに使える。【００２０】  （６）磁石で金属に固定できるので、乾燥用具として使用しない場合は、フックとして菜ばしやふきん、輪ゴム等の比較的軽いものを掛けたり、また、メモクリップ用マグネット等としても使用できる。【００２１】  （７）５基材ベースに対する１２下部可動部の角度をラチェット構造により任意に設定することができ、１３袋押当部と袋やラップ等の接点の位置を任意に設定できるので、任意の大きさや形状の袋やラップ等に対応することが可能である。【００２２】  （８）５基材ベースに対する１２下部可動部の角度は、ラチェット構造により任意に設定することができるので、保管しやすい形状にすることにより、場所を取らずに保管することができる。【００２３】  （９）図１に示すように１頭頂部を頭に、４支持腕部を腕に、１２下部可動部および１３袋押当部を足に見立てて、人や動物、キャラクター等が腕や足を広げたり、持ち上げたりしている様子を表現する等の装飾を施すことが容易である。勿論、このことが本発明の技術的範囲を限定するものではないことは言うまでもない。【００２４】  （１０）構造が簡単なため、一体形成が可能であり、廉価に製造できる。
【発明を実施するための最良の形態】
【００２５】  以下、図面に示す発明を実施するための最良の形態により、本発明を詳細に説明する。【００２６】  耐水性があり、かつ繰り返し折り曲げることが可能なシート部材より成る少なくとも２本の１２下部可動部を、５基材ベースを介して設置する。【００２７】  ５基材ベースの上両側に略凹形状の４支持腕部を設け、５基材ベースの略上端中央に略凸形状の１頭頂部を設ける。【００２８】  ５基材ベースの下端に１１中間ヒンジを介して、任意の角度に略扇状の８ラチェットで係止固定できる、少なくとも２本の略Ｌ字状の１２下部可動部を設ける。【００２９】  １１中間ヒンジは裏表どちらからでも折り曲げられるよう、両面から略Ｖ字状に溝を入れ、中間部は薄肉に形成する。折り曲げたとき、略Ｖ字状の溝面同士が当り、一定の角度以上は曲がらないように設定する。【００３０】１２下部可動部に付設された略扇状の８ラチェットは１０ラチェットヒンジで折り曲げ、５基材ベースに付設された６ラチェット爪とラチェット構造を構成する。【００３１】  ６ラチェット爪は両脇にスリットを入れ前後に撓むことが可能なように形成する。【００３２】  １０ラチェットヒンジは裏表どちらからでも折り曲げられるよう、両面から略Ｖ字状に溝を入れ、中間部は薄肉に形成する。折り曲げたとき、略Ｖ字状の溝面同士が当り、略直角になるよう設定する。【００３３】  折り曲げた１０ラチェットヒンジが元に戻らないよう、６ラチェット爪の外端部に略凸形状の７押さえリブを付設する。【００３４】  略扇状の８ラチェットの円周部は９鋸刃状突起の形状に加工を施し、６ラチェット爪と摺動可能に噛合する。【００３５】  ラチェット構造により１２下部可動部は任意の角度で係止固定する。【００３６】  １２下部可動部の本数は２本以上でも良いが、ラチェット構造の設置が複雑になるので、２本が好ましい。【００３７】  ４支持腕部の本数も２本以上でも良いが、構成が複雑になるので、２本が好ましい。【００３８】  略凸形状の１頭頂部に２磁石を付設する。洗浄されたものに接するため、２磁石は防水を考慮し、１頭頂部に内蔵されることが望ましい。【００３９】  ２磁石は略凹形状の４支持腕部の先端に設けられた３支持腕挟着部に付設しても良い。この場合も防水を考慮して内蔵されることが望ましい。【００４０】  本発明の形状は、効果や目的を妨げるものでなければ任意でよいので、例えば、図１に示すように１頭頂部を頭に、４支持腕部を腕に、１２下部可動部および１３袋押当部を足に見立てて、人や動物、キャラクター等が腕や足を広げたり、持ち上げたりしている様子を表現する等の装飾を施すことが可能である。勿論、このことが本発明の技術的範囲を限定するものではないことも言うまでもない。【００４１】  また、１３袋押当部の形状は、本発明の効果や目的を妨げるものでなければ任意でよいので、例えば１２下部可動部を板状のままとし、その先端を袋押当部とする構成でも良い。勿論、このことが本発明の技術的範囲を限定するものではないことも言うまでもない。【００４２】  次に本発明の使用方法について詳細に説明する。【００４３】  洗浄した袋の乾燥を促進する場合は、袋の中に本発明を入れ、１０ラチェットヒンジで折り曲げて略扇状の８ラチェットを６ラチェット爪と噛合する。【００４４】  １１中間ヒンジで１２下部可動部を折り曲げて略扇状の８ラチェットと６ラチェット爪により任意の位置で止めて固定し、袋の開口部を開いた状態を４支持腕部および１２下部可動部で保持しながら、１頭頂部に付設された２磁石により袋の内側から金属面に挟着して固定する。【００４５】  洗浄したラップ等の乾燥を促進する場合は、ラップ等を本発明にかぶせ、袋の場合と同様に、１１中間ヒンジで１２下部可動部を折り曲げて任意の位置に固定し、かぶせたラップ等が広がった状態を４支持腕部および１２下部可動部で保持しながら、１頭頂部に付設された２磁石によりラップ等を内側から金属面に挟着して固定する。【００４６】  ４支持腕部と任意の角度に折り曲げ、略扇状の８ラチェットにより固定された１２下部可動部は三次元的に対峙するため、袋は開口部を下にして開いた状態を、ラップ等は広げている状態を保持する。【００４７】  乾燥させる袋やラップ等の大きさや形状によっては、１２下部可動部を同一方向に折り曲げたり、もしくは、１２下部可動部の１つだけを折り曲げたりすることでも同様の効果が得られる。【００４８】  １１中間ヒンジおよび１０ラチェットヒンジは表裏両面の使用が可能であるため、８ラチェットおよび１２下部可動部は表裏のどちらでも任意に折り曲げ、固定することが可能である。【００４９】  金属面がない場合は、任意の場所に金属性のプレートを設置して使用する。【００５０】  １２下部可動部を固定する位置は、袋、ラップ等乾燥させる対象の大きさや形状により決定する。【００５１】  １２下部可動部を固定する角度は乾燥させる袋やラップ等が充分開く程度であれば任意で良い。【００５２】  乾燥後、または、本発明を使用しないときには、１２下部可動部を任意の形状にして２磁石により金属面に付着させて保持する。【００５３】  また、２磁石により金属面に付着させて保持している状態では、フックとして菜ばしやふきん、輪ゴム等の比較的軽いものを掛けたり、また、メモクリップ用マグネット等としても使用できる。
【他の実施例】
【００５４】  次に本発明を実施するための異なる形態につき説明する。なお、これらの本発明を実施するための異なる形態の説明にあたって前記本発明を実施するための最良の形態と同一構成部分には同一符号を付して重複する説明を省略する。
【００５５】  前記本発明を実施するための最良の形態における係止固定する構造はラチェット構造であるが、本発明を実施するための異なる形態においては、略扇状の１５係止リブと略凹形状の１４係止リブ受部による勘合構造とする。
【００５６】  この場合、前記本発明を実施するための最良の形態の８ラチェットのように略扇状の１５係止リブに９鋸刃状突起の形状に加工を施す必要はないが、１４係止リブ受部の幅や、１１中間ヒンジから１５係止リブの先端までの長さを勘合構造により係止固定できる程度に設定する。
【００５７】  １６係止リブヒンジは裏表どちらからでも折り曲げられるよう、両面から略Ｖ字状に溝を入れ、中間部は薄肉に形成する。折り曲げたとき、略Ｖ字状の溝面同士が当り、略直角になるよう設定する。
【００５８】  略扇状の１５係止リブと略凹形状の１４係止リブ受部が緊密な摩擦嵌合により噛み合い、２つの部材間の摩擦によって任意の位置で結合を維持する。
【産業上の利用可能性】
【００５９】  以上のように本発明は洗浄した袋やラップ等のリサイクルに供せられる物品において、空気の通りを良くして乾燥を促進するため、袋を開いている状態やラップを広げている状態を保持するための乾燥用具に関するものであり、かつ、構造が簡単で廉価に提供できると共に、使用上極めて好都合である等幾多の産業的効果を奏するものである。
【図面の簡単な説明】
【００６０】
【図１】本発明を実施するための最良の第１の形態の平面図〔図１−Ａ〕図１におけるＡ−Ａ’拡大断面図〔図１−Ｂ〕図１におけるラチェット構造部分および中間ヒンジ部分の拡大平面図〔図１−Ｃ〕図１−ＡにおけるＸ−Ｘ’拡大断面図〔図１−Ｄ〕図１−ＡにおけるＹ−Ｙ’拡大断面図
【図２】本発明を実施するための異なる形態における勘合構造部の拡大平面図
【図３】本発明を実施するための最良の第１の形態の袋を乾燥させている状態の側面図
【図４】本発明を実施するための最良の第１の形態のラップを乾燥させている状態の側面図
【符号の説明】
【００６１】１、は、頭頂部
２、は、磁石
３、は、支持腕挟着部
４、は、支持腕部
５、は、基材ベース
６、は、ラチェット爪
７、は、押えリブ
８、は、ラチェット
９、は、鋸刃状突起
１０、は、ラチェットヒンジ
１１、は、中間ヒンジ
１２、は、下部可動部
１３、は、袋押当部
１４、は、係止リブ受部
１５、は、係止リブ
１６、は、係止リブヒンジ
１７、は、金属面
１８、は、袋
１９、は、袋の開口部
２０、は、ラップ
【図１】
2006189248.tif 000003
【図１−Ａ】
2006189248.tif 000004
【図１−Ｂ】
2006189248.tif 000005
【図１−Ｃ】
2006189248.tif 000006
【図１−Ｄ】
2006189248.tif 000007
【図２】
2006189248.tif 000008
【図３】
2006189248.tif 000009
【図４】
2006189248.tif 000010